(57)【要約】【課題】変更後の放送局から特定の文字情報を自動的に選別し、利用者に出力する。【解決手段】音声コンテンツとテキストコンテンツとを少なくとも含む情報を伝送する放送波を受信する受信器１と、受信されるテキストコンテンツの中からユーザにより選択された選択コンテンツを特定する選択コンテンツ特定手段３１と、特定された選択コンテンツの特定要素を抽出し、少なくとも一時的に記憶する特定要素抽出手段３２と、受信する放送波が変更されたことを検出した場合、変更後の放送波により伝送されるテキストコンテンツの中から、抽出した特定要素に基づいて、選択コンテンツに対応する出力候補コンテンツを検索する出力候補検索手段３３と、検索された出力候補コンテンツを出力させる出力命令手段３４とを有する制御装置３と、制御装置３の制御に従い、受信器１が受信した情報をユーザに向けて出力する出力装置４を有する。【選択図】  図１
2006094326.tif 000002
【特許請求の範囲】
【請求項１】
音声データを含む第１の情報とテキストデータを含む第２の情報とを少なくとも含む情報を伝送する放送波を受信する受信手段と、
前記受信手段が受信した情報をユーザに向けて出力する出力手段とを有するラジオ放送用受信装置であって、
前記受信手段により受信される第２の情報の中からユーザにより選択された選択コンテンツを特定する選択コンテンツ特定手段と、
前記選択コンテンツ特定手段により特定された選択コンテンツの特定要素を抽出し、当該抽出した選択コンテンツの特定要素を少なくとも一時的に記憶する特定要素抽出手段と、
前記受信手段の受信する放送波が変更されたことを検出した場合、前記変更後の放送波により伝送される第２の情報の中から、前記特定要素抽出手段により抽出された特定要素に基づいて、前記選択コンテンツに対応する出力候補コンテンツを検索する出力候補検索手段と、
前記出力候補検索手段により検索された出力候補コンテンツを出力させる出力命令を前記出力手段へ向けて送出する出力命令手段とを有するラジオ放送用受信装置。
【請求項２】
前記出力命令手段は、前記出力候補検索手段により検出された出力候補コンテンツを、次の出力候補コンテンツが検索されるまで、順次出力させる出力命令を前記出力手段へ送出する請求項１に記載のラジオ放送用受信装置。
【請求項３】
前記出力命令手段は、前記ユーザから前記出力候補コンテンツの出力命令を受け付けた場合、前記出力候補検索手段により検索された出力候補コンテンツを出力させる出力命令を前記出力手段へ向けて送出する請求項１に記載のラジオ放送用受信装置。
【請求項４】
前記出力命令手段は、前記出力候補検索手段により検索された出力候補コンテンツの内容の更新を監視し、当該出力候補コンテンツの内容が更新された場合、前記更新された出力候補コンテンツを出力させる出力命令を前記出力手段へ向けて送出する請求項１に記載のラジオ放送用受信装置。
【請求項５】
前記出力命令手段は、前記出力候補コンテンツの内容を出力させる命令に代えて、当該出力候補コンテンツを出力させるコマンドを示すアイコンメニュを提示させる出力命令を出力する請求項１〜４のいずれかに記載のラジオ放送用受信装置。
【請求項６】
前記出力命令手段は、前記出力候補コンテンツ又は前記出力候補コンテンツを出力させるコマンドを示すアイコンメニュの出力命令を送出した後、前記出力候補コンテンツの内容の更新を監視し、当該出力候補コンテンツの内容が更新された場合、出力候補コンテンツの内容が更新された旨を報知する情報を出力させる出力命令を前記出力手段へ向けて送出する請求項１〜５のいずれかに記載のラジオ放送用受信装置。
【請求項７】
音声データを含む第１の情報とテキストデータを含む第２の情報とを少なくとも含む情報を伝送する放送波を受信し、受信した情報をユーザが視聴可能なように出力するラジオ放送受信方法であって、
受信された第２の情報の中からユーザにより選択された選択コンテンツを特定するステップと、
前記特定された選択コンテンツの特定要素を抽出するとともに、当該抽出した選択コンテンツの特定要素を少なくとも一時的に記憶するステップと、
前記受信する放送波が変更されたことを検出した場合、前記抽出された特定要素に基づいて、前記変更後の放送波により伝送される第２の情報の中から、前記選択コンテンツに対応する出力候補コンテンツを検索するステップと、
前記検索された出力候補コンテンツをユーザに向けて出力させるステップとを有するラジオ放送受信方法。
【請求項８】
前記検索された出力候補コンテンツを出力させるステップは、前記検出された出力候補コンテンツを、次の出力候補コンテンツが検索されるまで、順次出力させる請求項７に記載のラジオ放送受信方法。
【請求項９】
前記検索された出力候補コンテンツを出力させるステップは、前記ユーザから前記出力候補コンテンツの出力命令を受け付けた場合、前記検索された出力候補コンテンツを出力させる請求項７に記載のラジオ放送受信方法。
【請求項１０】
前記検索された出力候補コンテンツを出力させるステップは、前記検索された出力候補コンテンツの内容の更新を監視し、当該出力候補コンテンツの内容が更新された場合、前記更新された出力候補コンテンツを出力させる請求項７に記載のラジオ放送受信方法。
【請求項１１】
前記検索された出力候補コンテンツを出力させるステップは、前記出力候補コンテンツの内容を出力させる命令に代えて、当該出力候補コンテンツを出力させるコマンドを示すアイコンメニュを提示させる請求項７〜１０のいずれかに記載のラジオ放送受信方法。
【請求項１２】
前記検索された出力候補コンテンツを出力させるステップは、前記出力候補コンテンツ又は前記出力候補コンテンツを出力させるコマンドを示すアイコンメニュの出力命令を送出した後、前記出力候補コンテンツの内容の更新を監視し、当該出力候補コンテンツの内容が更新された場合、出力候補コンテンツの内容が更新された旨を報知する請求項７〜１１のいずれかに記載のラジオ放送受信方法。
【発明の詳細な説明】
【技術分野】
【０００１】
本発明は、ＦＭ文字多重放送等の受信し、受信した信号に含まれる文字情報を利用者に提示するラジオ放送用受信装置及びラジオ放送受信方法に関し、特に、移動により受信側の放送エリアまたは受信側の受信放送局が変更した場合に、変更後の受信放送局から受信した信号に含まれる文字情報の中から利用者の選択意思に応じた特定の情報（例えば、文字情報など）を自動的に選別し、選別した情報を利用者に提示する装置及び方法に関する。
【背景技術】
【０００２】
音声信号からなる音声コンテンツとテキスト信号からなるテキストコンテンツを含む情報を送信するＦＭ文字多重放送が行われている。特許文献１には、コンパクトディスク等に記憶された音声を再生するとともに、受信した文字多重放送の文字情報を表示する多重放送受信装置が記載されている。
【０００３】
この種の装置によれば、ユーザは視聴したい情報（交通情報等）を文字情報として取得することができるが、視聴したい情報（交通情報等）を探し出して画面等に表示させる操作が煩雑であるという問題があった。また、放送局ごとにメニュー構成が異なるため、放送局が変更される度に今までとは異なる操作手順で視聴したい情報を探し出して画面に表示させなければならないという不都合があった。特に、ユーザが車両に搭乗している場合、移動により受信放送局が変更される頻度が高くなるが、放送エリア（放送局）が変更される度に異なる操作手順で視聴したい情報を探し出して画面に表示させなければならず、操作が煩雑で利用しにくいという問題があった。
【特許文献１】特開平１１−２２０４１５号公報
【発明の開示】
【０００４】
本発明は、以上の課題を鑑みてなされたのものであり、ユーザの操作負担を軽減させたラジオ放送用受信装置及びラジオ受信方法を提供することを目的とする。
本発明によれば、受信する放送波に含まれるテキストデータを有する第２の情報の中からユーザにより選択された選択コンテンツを特定し、特定された選択コンテンツの特定要素を抽出し、受信する放送波が変更されたことを検出した場合、変更後の放送波により伝送される第２の情報の中から、抽出された特定要素に基づいて、選択コンテンツに対応する出力候補コンテンツを検索し、検索された出力候補コンテンツを出力させるラジオ放送用受信装置及びラジオ放送受信方法が提供される。
【０００５】
本発明のラジオ放送用受信装置及びラジオ放送受信方法は、ユーザが視聴を希望していると考えられる特定のテキストコンテンツを自動的に検索し、ユーザの意図に沿った情報を提示することができる。
【発明を実施するための最良の形態】
【０００６】
以下、図面に基づいて、本発明に係る第１実施形態乃至第３実施形態のラジオ放送用受信装置１００を説明する。ラジオ放送用受信装置１００は、ユーザが搭乗する車両に搭載され、各放送局から配信される放送波を受信して、放送内容をユーザが視聴可能な態様で音声出力又は表示出力する。放送波は、ＦＭ文字多重放送、地上デジタル音声放送、又は地上デジタルテレビジョン放送の放送波である。本例において、放送局が出力する放送波は、音声データを含む第１の情報（音声コンテンツに対応）とテキストデータを含む第２の情報（テキストコンテンツに対応）とを少なくとも含む情報を伝送する。
【０００７】
＜第１実施形態＞
図１に第１実施形態に係るラジオ放送用受信装置１００のブロック構成を示した。図１に示すように、本実施形態のラジオ放送用受信装置１００は、受信器１と、入力デバイス２と、制御装置３と、出力装置４とを有している。
【０００８】
「受信器１」は、音声コンテンツ（第１の情報に対応）とテキストコンテンツ（第２の情報に対応）とを少なくとも含む情報を伝送する放送波を受信する。受信する放送波は、後述する入力デバイス２に入力されたユーザの選択命令により選択されるコンテンツを含む放送波である。受信器１は、受信した放送波をデコードし、音声コンテンツとテキストコンテンツとを分離するデコード部１１を有する。デコードされた音声コンテンツ又はテキストコンテンツは、必要な処理がなされて出力装置４から出力される。デコードされたテキストコンテンツの少なくとも一部は必要に応じて制御装置３に送出され、選択コンテンツの特定処理、特定要素抽出処理、出力候補検索処理等の対象となる。
【０００９】
「入力デバイス２」は、タッチパネル、ジョイスティック、ジョグダイアル等であり、ユーザが選択した放送局および／またはユーザが視聴を希望するコンテンツを特定する選択命令を受け付ける装置である。受け付けた選択命令は制御手段３へ送出される。入力デバイス２は、放送局等の放送チャンネルを選択するためのチャンネル選択機能２１と、コンテンツを選択するためのコンテンツ選択機能２２とを有している。ユーザは、チャンネル選択機能２１により、視聴を希望する放送局を特定する情報を含む選択命令を入力し、コンテンツ選択機能２２により、特定した放送局が提供するコンテンツの中から視聴したいコンテンツを特定する情報を含む選択命令を入力する。
【００１０】
図２（Ａ）（Ｂ）は各放送局が放送する番組のメニュー構成の一例を示す。図２（A）及び（B）に基づいて、選択の対象となるコンテンツの一例を説明する。図２（Ａ）は、放送局Ａが放送するチャンネルとコンテンツとを示し、図２（Ｂ）は放送局Ｂが放送するチャンネルとコンテンツとを示す。放送局Ａ及びＢは、例えばＦＭ文字多重放送、デジタルラジオ放送、又はデジタルテレビジョン放送を放送する放送局である。各放送局が放送する番組のメニュー構成は階層構造を有し、第１階層のチャンネル構成と第２階層のコンテンツ内容構成とを有する。
【００１１】
このように番組のメニュー構成が階層構造となっているため、視聴したいコンテンツを出力させたい場合は、ユーザは階層ごとに選択命令を順次入力する。例えば、放送局ＡのFM文字多重放送を受信し、天気情報を取得したい場合、ユーザはFM文字多重放送の第１階層のチャンネルリストを表示させ、「2ch ニュース＆天気」を選択する選択命令を入力し、さらに「5.天気」を選択する選択命令を入力することにより天気情報を出力させることができる。なお、図２（Ａ）及び（Ｂ）に示すように、放送局Ａが放送する番組のメニュー構成と放送局Ｂが放送する番組のメニュー構成とは、その階層構造が異なるため、同じカテゴリのコンテンツを取得する場合であっても、各メニュー構成に応じた、異なる選択命令の入力が求められる。
【００１２】
「制御装置３」は、選択コンテンツ特定手段３１と、特定要素抽出手段３２と、出力候補検索手段３３と、出力命令手段３４とを有している。具体的には、少なくとも、選択されたコンテンツの特定要素を抽出し、放送波の伝送チャンネルが変更された場合に、抽出された特定要素に基づいて選択コンテンツに対応する出力候補コンテンツを検索するプログラムを格納したＲＯＭ等と、このＲＯＭ等に格納されたプログラムを実行することで、制御装置３として機能するＣＰＵと、アクセス可能な記憶領域（３２１、３２２）として機能するＲＡＭ等とを備えている。
【００１３】
以下、制御装置３の各構成について説明する。  
「選択コンテンツ特定手段３１」は、入力デバイス１を介してユーザにより入力された選択命令に基づいて、ユーザが視聴を希望するコンテンツを特定する。選択命令は、選択命令取得部３１１が入力デバイス１から取得する。
【００１４】
「特定要素抽出手段３２」は、選択コンテンツ特定手段３１により特定された選択コンテンツの特定要素を抽出する。「特定要素」は、選択コンテンツのカテゴリなど選択コンテンツを特徴づける情報である。抽出する特定要素は特に限定されず、任意に定義することができる。
【００１５】
本例では、コンテンツに含まれる「タグ」情報と「地域コード」情報とを特定要素として定義する。
【００１６】
「タグ」は、番組のメニュー構成の最下層におけるコンテンツの特徴を表現するキーワードである。図２（Ａ）に示したメニュー構成を例にすると、選択命令の入力においてユーザが最後に（最下層で）選択する「１．ニュース」「２．スポーツ」などの内容を示すキーワードを「タグ」として定義することが好ましい。さらに内容を細分化する「経済ニュース」「社会ニュース」などのキーワードを「タグ」として定義してもよい。同様に３ｃｈの交通情報における「首都高速道路」、「高速道路」、「一般道路」なども、コンテンツの内容を示唆するキーワードであるので、「タグ」として定義することができる。このように内容を示唆する「タグ」を特定要素として抽出することにより、ユーザの選択した（視聴を希望する）コンテンツの内容（カテゴリ）を分析することができる。
【００１７】
「地域コード」は、コンテンツの情報の対象となる場所を示す情報である。本例では、社団法人 電波産業会（ARIB）が規定する「地上デジタル音声放送運用規定（ARIB TR-B13）」において、エリアを特定する目的で使用される「県域コード」、「地域符号」、「郵便番号」の3つの情報を「地域コード」として採用する。「地域コードを特定要素として抽出することにより、ユーザの選択したコンテンツがどの地域を対象とする情報であるのかを分析することができる。
【００１８】
このように、「タグ」と「地域コード」とを含む「特定要素」を定義することにより、コンテンツの内容および対象地域の観点からユーザが視聴を希望する情報を正確に予測することができる。たとえば、選択コンテンツから特定要素のタグ「天気」および地域コード「県域コード：東京都」が抽出された場合、特定要素抽出手段３２は、ユーザが東京都の「天気（等の特定要素）」に関する情報の取得を希望していることを予測することができる。なお、選択コンテンツが予め定義した特定要素を有していない場合は、「その他」の特定要素が抽出されたと処理してもよい。
【００１９】
特定要素抽出手段３２により抽出された選択コンテンツの特定要素は特定要素モデル記憶領域３２２に少なくとも一時的に記憶（蓄積）される。本例では、抽出した選択コンテンツの特定要素を、車両の走行開始からＡＣＣキーがオフにされるまで記憶（蓄積）する。記憶期間は特に限定されず、所定時間に限り特定要素を記憶してもよいし、所定数（所定データ量）の特定要素を記憶してもよい。
【００２０】
「出力候補検索手段３３」は、特定要素抽出手段３２の処理によりユーザが取得を希望していると予測される情報を検索する。つまり、出力候補検索手段３３は、特定要素抽出手段３２により抽出された特定要素に基づいて、選択コンテンツに対応する出力候補コンテンツを検索する。出力候補検索手段３３による検索処理の対象は、変更後の受信放送波により伝送されるテキストコンテンツである。
【００２１】
この出力候補コンテンツを検索する処理は、受信器１が受信する受信放送波の変更を検出したことをトリガとして行われる。受信放送波の変更の監視は、出力候補検索手段３３の放送波監視部３３１が行う。放送波が変更されるのは、ユーザが受信する放送局を変更した場合と、ユーザが他の放送局の放送エリアへ移動し、受信放送局が別の放送局になった場合とが考えられる。放送波監視部３３１は、放送波の周波数帯域、予め設定されたセグメントの変更に基づいて放送波が変更されたか否かを判断する。
【００２２】
なお、一般に、放送波が変更されると受信放送局が変更され、番組のメニュー構成が変更されることから、同じ内容の情報（例えば天気に関する情報）を取得する場合の選択命令が異なる。つまり、放送波監視部３３１は、あらためて選択命令を入力する必要が生じるタイミングを検出する機能を有する。
【００２３】
本実施形態の出力候補検索手段３３は、変更前の放送波で受信していたテキストコンテンツと特定要素が共通するテキストコンテンツを、変更後の放送波で受信するテキストコンテンツの中から検索する。本例では特定要素の「タグ」と「地域コード」の両方が共通しているテキストコンテンツが検索するが、検索できない場合は、「タグ」のみが共通するテキストコンテンツを検索する。たとえば、ユーザが選択して視聴していたテキストコンテンツが東京都の交通情報である場合、出力候補検索手段３３は変更後の放送局が提供するテキストコンテンツの中から東京都の交通情報に関するテキストコンテンツを検索する。しかし、「地域コード」はコンテンツに対応する地域を表すものであるので、ニュースや占いなど地域性を持たないコンテンツには地域コードは存在せず、「タグ」及び「地域コード」が共通するコンテンツを検索することができない。このように、変更後の放送局が提供するテキストコンテンツの中に「地域コード又は共通する地域コード」が含まれない場合、「タグ」のみが共通するテキストコンテンツを検索する。本例では抽出する特定要素が予め定義されているため、出力候補コンテンツを迅速に検索することができる。
【００２４】
「出力命令手段３４」は、出力候補検索手段３３により検索された出力候補コンテンツを出力させる出力命令を出力装置４に向けて送出する。出力候補コンテンツを出力させるタイミング、出力候補コンテンツを出力させる時間（長さ）、テキストデータからなる出力候補コンテンツの出力態様（読み上げ出力又はテキスト出力）、出力候補コンテンツの表示エリア（位置、広さ）については、出力命令手段３４が任意に決定し、出力命令に含めることができる。
【００２５】
また、出力命令手段３４は、出力候補コンテンツの内容を出力させる命令に代えて、出力候補コンテンツを出力させるコマンドを示すアイコンメニュを提示させる出力命令を出力してもよい。
【００２６】
本実施形態の出力命令手段３４は、検索された出力候補コンテンツを、次の出力候補コンテンツが検索されるまで、順次出力させる出力命令を出力装置４へ向けて送出する。つまり、出力候補コンテンツが検索されたら、次の出力候補コンテンツが検索されるまでの間、出力候補コンテンツの内容又は出力候補コンテンツのアイコンメニュを、常時画面の一部又は全部に表示する。
【００２７】
さらに、本実施形態の出力命令手段３４は、出力候補コンテンツの内容が更新された場合、その旨を報知する情報を出力させる機能を有する。出力命令手段３４の更新監視部３４０は、検索された出力候補コンテンツの内容の更新を監視する。更新の監視は、検索された出力候補コンテンツのすべてについて行われる。つまり、複数の出力候補コンテンツが検索された場合には、各出力候補コンテンツの更新をそれぞれ監視する。出力命令手段３４は、出力候補コンテンツ又は出力候補コンテンツを出力させるコマンドを示すアイコンメニュの出力命令を送出した後、出力候補コンテンツの内容が更新されたことが検出された場合、出力候補コンテンツの内容が更新された旨を報知する情報を出力させる出力命令を出力装置４へ向けて送出する。
【００２８】
具体的に、出力命令手段３４は、ディスプレイ４２に「更新した」旨をテキスト表示させる出力命令、スピーカ４１から「道路情報が更新されました」等の内容を読み上げさせり出力命令、更新された出力候補コンテンツに対応するアイコンを点滅表示させる出力命令を出力装置４へ送出する。これにより、出力候補コンテンツの内容が更新された旨をユーザに報知する。
【００２９】
「出力装置４」は、音声データ又はテキストデータを聴取可能に出力するスピーカ４１と、テキストデータ又は画像データを視認可能に出力するディスプレイ４２とを有している。出力装置４は、出力命令手段３４の出力命令に従い、出力候補コンテンツ、出力候補コンテンツに対応するアイコンメニュ、又は選択された選択メニュを出力表示する。
【００３０】
アイコンメニュを表示するため、出力装置４は、所定の出力候補コンテンツを出力させるコマンドを示す所定のアイコンメニュを記憶するアイコン記憶部４２１と、アイコンメニュの起動命令を受け付けた場合に対応する出力候補コンテンツを出力させるアイコン表示制御部４２２とを有している。アイコンメニュ表示モードでは、検索された出力候補コンテンツの内容は出力されず、コンテンツの内容を視覚的に示すアイコンメニュが表示される。アイコン表示制御部４２２は、ユーザが出力を希望するアイコンメニュをクリック（起動命令の入力）を受け付けた場合、アイコンメニュを起動させ、対応する出力候補コンテンツの内容を表示する。
【００３１】
また、本実施形態の出力装置４は、テキストデータを音声信号に変換し、ユーザが聴取可能なように音声出力を行うＴＴＳ（text to speech）機能を有する。なお、ＴＴＳ機能は、入力デバイス２に設けたＴＴＳ機能起動ボタン(図示せず)のオン入力を待って起動させることが好ましい。音声コンテンツに基づく音声と、テキストデータに基づく音声とが重複して聞き取りにくくなることを防止するためである。また、ＴＴＳ機能を起動させる場合には、テキストデータを読み上げる間、音声コンテンツの出力ボリュームを下げる制御を行うことが好ましい。これにより、ユーザは提供された音声情報を正確に聞き取ることができる。
【００３２】
次に、ラジオ放送用受信装置１００の動作を、図３のフローチャートに基づいて説明する。本例のラジオ放送用受信装置１００は、車両に搭載されたデジタルラジオ放送用の受信装置である。ラジオ放送用受信装置１００は、車両の電源及びＡＣＣがオン状態となったときに起動する（Ｓ２００）。
【００３３】
本例のコンテンツの選択命令は、「地上デジタル音声放送運用規定（ARIB TR-B13）」に従い、2桁の放送局番号と2桁の編成サービス番号を含む4桁の数字で構成される。受信器１が起動され、ユーザが入力デバイス２を介してコンテンツの選択命令を入力すると、受信器１は入力された選択命令に基づいて、放送局と編成サービスを特定し、特定されたコンテンツを伝送する放送波の受信を開始する（Ｓ２０１）。デコード部１１は、受信器１により受信された放送波が伝送する情報のデコードを開始し、デコード処理された情報は、音声コンテンツとテキストコンテンツとに分離される（Ｓ２０２）。分離された情報が音声コンテンツである場合は（Ｓ２０３でＹ）、出力装置４に送出され、スピーカ４１から出力される（Ｓ２０４）。
【００３４】
分離された情報がテキストコンテンツである場合（Ｓ２０３でＮ，Ｓ２１０でＹ）、制御装置３の処理を受けるために、メモリに一時的に記憶される。なお、分離された情報が音声コンテンツでも、テキストコンテンツでもない場合は（Ｓ２０３でＮ，Ｓ２１０でＮ）、コンテンツの内容に応じて出力処理される。例えば、情報が画像情報である場合は、ディスプレイに表示される。
【００３５】
制御装置３の選択コンテンツ特定手段３１は、選択命令取得部３１１が取得した選択命令に基づいて、受信されたテキストコンテンツの中からユーザにより選択された選択コンテンツを特定する（Ｓ２１１）。次に特定要素抽出手段３２は、特定された選択コンテンツの特定要素を抽出し、抽出結果を抽出結果記憶領域３２２に記憶する（Ｓ２１２）。抽出結果は先に記憶された抽出結果に追加され、記憶領域３２２に蓄積される。特に限定されないが、特定要素モデル記憶領域３２１に記憶された特定要素モデルを参照して、予め設定された特定要素を抽出することが好ましい。特定要素を予め設定しておくことにより、特定要素の抽出処理、および後に説明するＳ２３０における出力候補コンテンツの検索処理を迅速に行うことができるからである。
【００３６】
放送波監視部３３１は、受信器１が受信する放送波の変更を監視する。言い換えると、受信放送局に変更があるか否かを判断する（Ｓ２１３）。この放送局の変更は、ユーザの移動に起因する場合と、ユーザの選局変更に起因する場合とがある。放送局が変更されない場合（Ｓ２１３でＮ）、Ｓ２１４へ進み、出力命令手段３４は選択コンテンツの出力命令を生成し（Ｓ２１４）、選択コンテンツの出力命令を出力装置４へ送出する（Ｓ２１５）。出力装置４は出力命令に従い選択コンテンツを出力する（Ｓ２１６）。ディスプレイ４２は、選択コンテンツのテキストデータを表示する。また、スピーカ４１は、ＴＴＳ（text to speech）機能を用いて選択コンテンツのテキストデータを読み上げる。
【００３７】
受信放送局に変更がある場合（Ｓ２１３でＹ）、Ｓ２３０へ進む。出力候補検索手段３３は、変更後の放送波により伝送されるテキストコンテンツの中から、Ｓ２１２にて抽出された特定要素に基づいて選択コンテンツに対応する出力候補コンテンツを検索する（Ｓ２３０）。本例では、選択コンテンツから抽出された特定要素と共通する特定要素を有するテキストコンテンツを、その選択コンテンツに対応する出力候補コンテンツとして検索する。出力候補検索手段３３は、抽出結果記憶領域３２２に記憶されているすべての特定要素に基づいて出力候補コンテンツを検索する。つまり、ユーザが１走行中に視聴コンテンツを複数回変更し、抽出結果記憶領域３２２に複数の特定要素が記憶されている場合には、複数の特定要素のそれぞれに基づいて、出力候補コンテンツを検索する。これにより、ユーザが複数のコンテンツに興味を有する場合であっても、すべての選択コンテンツに対応する出力候補コンテンツを検索し、ユーザの操作負担を軽減させることができる。
【００３８】
続いて、出力命令手段３４は、検索された出力候補コンテンツを出力させる出力命令を生成し（Ｓ２３１）、生成した出力命令を出力装置４へ送出する（Ｓ２３２）。出力装置４は、出力命令に従い、出力候補コンテンツを出力させる（Ｓ２３３）。また、出力命令手段３４は、検索された出力候補コンテンツを出力させるコマンドを示すアイコンメニュを提示させる出力命令を生成し（Ｓ２３１）、生成した出力命令を出力装置４へ送出し（Ｓ２３２）、出力装置４は、出力候補コンテンツに対応するアイコンメニュを出力してもよい（Ｓ２３３）。アイコンメニュが表示された場合は、ユーザからのアイコンメニュ起動命令の入力を待って、出力候補コンテンツの内容が出力される。このようにすることにより、ユーザが情報を必要とするタイミングで、出力候補コンテンツの内容を出力することができる。また、表示画面を効率的に利用することができる。
【００３９】
ここで、図４〜図６に基づいて本実施形態の出力態様を説明する。  
本実施形態では、テキスト表示出力、アイコン表示出力または音声読み上げ出力の３態様で、テキストデータである選択コンテンツ又は出力候補コンテンツを表示する。
【００４０】
図４（Ａ）に出力候補コンテンツ（又は選択コンテンツ）のテキスト表示の出力イメージを示した。図４（Ａ）に示すように、出力候補コンテンツに関する情報がディスプレイ４２の一部に表示されている。本例では、「交通」に関する特定要素を有する出力候補コンテンツと、「天気」に関する特定要素を有する出力候補コンテンツとが表示されている。本例では、出力候補コンテンツの内容をテキストで表示する例を示したが、「天気」「交通」などのタイトルのみを表示して、「天気」と「交通」に関する出力候補コンテンツをモニタリング中であることをユーザに提示してもよい。
【００４１】
図４（Ｂ）に出力候補コンテンツ（又は選択コンテンツ）を出力させるコマンドを示すアイコンメニュの出力イメージを示した。本例では、特定要素が「交通」である出力候補コンテンツに対応するアイコンＡと、特定要素が「天気」である出力候補コンテンツＢとが表示されている。アイコンＡをクリック（起動命令の入力）することにより、交通に関する出力候補コンテンツが表示される。
【００４２】
図４（Ｃ）に出力候補コンテンツの音声出力イメージを示した。図４（Ｃ）に示すように、出力候補コンテンツに関する情報がＴＴＳ機能を用いて音声出力される。本例では、「交通」に関する特定要素を有する出力候補コンテンツと、「天気」に関する特定要素を有する出力候補コンテンツとがテキストデータから音声データに変換され、読み上げられている。本例では、「交通情報のモニタリングを開始します。」「天気情報のモニタリングを開始します。」といった出力候補コンテンツの種類（特定要素）を出力する例を示したが、これに続けて、「東名高速道路は厚木インターチェンジを先頭に１０ｋｍの渋滞」などと、交通情報の内容をそのまま読み上げてもよい。
【００４３】
なお、選択コンテンツについても図（Ａ）〜（Ｃ）のように出力することができる。
【００４４】
図５及び図６は、放送局Ｐから受信した選択コンテンツが出力された（Ｓ２１６）後に、Ｓ２０５、Ｓ２０６を経て放送局が放送局Ｐから放送局Ｑに変更された場合（Ｓ２１３でＹ）の表示例を示す。図５は、出力候補コンテンツのアイコンメニュを提示させた例を示し、図６は、出力候補コンテンツの内容をテキストデータで提示させた例である。
【００４５】
図５（Ａ）、図６（Ａ）は、Ｓ２１６において出力された交通情報と天気情報の選択コンテンツの表示例である。本例では、ディスプレイ４２の一部に、選択コンテンツの内容を視覚的に表現するアイコンＡ，Ｂ又は選択コンテンツの内容が表示されている。
【００４６】
図５（Ｂ）、図６（Ｂ）は、放送局が変更され（Ｓ２１３でＹ）、抽出された特定要素に基づいて検索された出力候補コンテンツの表示例を示す。本例では、変更後の放送局Ｑから受信したテキストコンテンツに天気を特定要素とするコンテンツが検索できなかったため、天気に関する出力候補コンテンツ又は天気に関する出力候補コンテンツに対応するアイコンＢは表示されない。
【００４７】
図５（Ｃ）、図６（Ｃ）は、さらに放送局が変更され（Ｓ２１３でＹ）、選択コンテンツから抽出された特定要素に基づいて検索された出力候補コンテンツの表示例を示す。走行中にいったん抽出された特定要素については、抽出結果記憶領域３２２に記憶（蓄積）され、出力候補検索手段３３はすべての特定要素に基づいて出力候補コンテンツを検索する。本例では、変更後の放送局Ｒから受信したテキストコンテンツに天気及び交通を特定要素とするコンテンツが検索できたため、交通に関する出力候補コンテンツ（対応するアイコン）と天気に関する出力候補コンテンツ（対応するアイコン）とを表示する。
【００４８】
ここで、図３のフローチャートに戻り、選択コンテンツの出力（Ｓ２１６）又は出力候補コンテンツの出力（Ｓ２３３）後に行われるＳ２４０からＳ２４４の処理を説明する。
【００４９】
本実施形態の更新監視部３４０は、出力候補検索手段３３により検索された出力候補コンテンツの内容の更新を監視する（Ｓ２４０）。監視は更新を検出するまで繰り返される（Ｓ４１でＮ）。出力命令手段３４は、出力候補コンテンツの内容の更新が検出された場合、（Ｓ２４１でＹ）出力候補コンテンツの内容が更新された旨を報知する出力命令を出力装置４に向けて送出する（Ｓ２４３）。出力装置４は出力命令に従い、出力候補コンテンツの内容が更新された旨を報知する（Ｓ２４４）。
【００５０】
ここで、図７に基づいて出力候補コンテンツの内容が更新された場合の出力態様を説明する。本実施形態では、表示出力または音声出力の２態様で、テキストデータである選択コンテンツ又は出力候補コンテンツを表示する。
【００５１】
図７（Ａ）に出力候補コンテンツが更新された場合の表示出力イメージを示した。図７（Ａ）に示すように、交通情報に関する出力候補コンテンツの内容が更新された旨が、ディスプレイ４２の一部に表示されている。図７（Ｂ）に出力候補コンテンツが更新された場合の音声出力イメージを示した。図７（Ｂ）に示すように、交通情報に関する出力候補コンテンツの内容が更新された旨が音声出力される。
【００５２】
図８には、出力候補コンテンツが更新された旨の報知をアイコン表示により行う表示出力イメージを示す。図８（Ａ）は、出力候補コンテンツが更新された旨を報知するために、出力候補コンテンツに対応するアイコン表示を点灯又は点滅表示する例を示す。ユーザは交通情報を示すアイコンが点灯されたことにより、交通情報の内容が更新されたことを認識する。ユーザがアイコンメニュをクリック（起動命令の入力）すると、更新された最新の交通情報が表示される。この状態を図８（Ｂ）に示した。このようにアイコンメニュを利用することによって、表示エリアの利用効率を高め、ユーザにとって見やすい態様でコンテンツを提供することができる。
【００５３】
再度、図３に戻り、Ｓ２０５において、制御装置３はユーザのコンテンツの選択命令を待ち受ける。ユーザから新たにコンテンツの選択命令が入力された場合（Ｓ２０５でＹ）、出力装置４は新たに入力された選択命令に基づいて、指示された放送局にチャンネルを変更し、選択されたコンテンツに表示を切替える（Ｓ２０６）。出力命令手段３４は、選択命令の入力とともに、電源の状態の監視を継続する（Ｓ２０５，Ｓ２０７）。選択命令が入力されずに、電源がＯＦＦにされたら（Ｓ２０５でＮ，Ｓ２０７でＹ）、抽出結果記憶領域３２２に記憶されたコンテンツの特定要素（「タグ」及び「地域コード」）を消去し（Ｓ２０８）、終了する（Ｓ２０９）。Ｓ２０９の終了は、最優先処理となっており、本実施形態のフローがどのような状況にあっても全ての処理を終了する。ここで、処理終了とともに記憶された特定要素を消去するのは、過剰な情報を提供してユーザを煩わすことを防止する観点からである。例えば、本装置の使用開始後から現在までに１度でも抽出された特定要素を記憶し、記憶されたすべての特定要素に基づいて検索された出力候補コンテンツを表示するとすれば、多大な数の情報が表示され、ユーザにとっては煩わしいからである。他方、コンテンツの内容によっては常に注意したいコンテンツもあるので、そのようなコンテンツの特定要素は消去禁止を登録することが好ましい。
【００５４】
また、Ｓ２０６において、新たに入力された選択命令に基づいて、指示された放送局にチャンネルを変更し、選択されたコンテンツに表示を切替えた場合、ユーザが選択したコンテンツについて、上述のＳ２０１以降の処理が行われる。この場合、Ｓ２１２において抽出された選択コンテンツの特定要素は、抽出結果記憶領域３２２に追加して記憶される。出力候補検索手段３３は追加された特定要素を含む記憶されている特定要素に基づいて出力候補コンテンツを検索する（Ｓ２３０）。
【００５５】
本実施形態のラジオ放送用受信装置１００によれば、受信していたテキストコンテンツと特定要素が共通する出力候補コンテンツを自動的に検索するため、受信放送局が変更された場合であっても、ユーザに選択命令の入力を再度求めることなく、ユーザが視聴を希望するテキストコンテンツを自動的に予測し、出力することができる。つまり、放送局が変更された場合であっても、ユーザは視聴を希望するテキストコンテンツの選択操作を繰り返し行うことなく、目的のテキストコンテンツの情報を自動的に取得することができる。特に、車両に搭乗し、複数の放送エリアを移動しながらラジオ放送を受信するユーザは、放送エリアが変更される度に必要であったテキストコンテンツの検索操作、入力操作を行わなくても、希望のコンテンツを視聴することができる。
【００５６】
＜第２実施形態＞  
第２実施形態は、第１実施形態と出力候補コンテンツの出力条件が異なり、それ以外の点は共通する。すなわち、本実施形態では、ユーザからの出力命令があった場合、検索した出力候補コンテンツを出力する。ここでは、異なる点を中心に説明し、重複する説明は省略する。
【００５７】
本実施形態のブロック構成を図９に示した。本実施形態のラジオ放送用受信装置２００は、入力デバイス１が出力実行ボタン２３を備える点と、出力命令手段３４が出力候補コンテンツ表示命令取得部３４１を有する以外は、第１実施形態のブロック構成と共通する。
【００５８】
出力実行ボタン２３は、受信する放送波に変更があった場合、すなわち受信放送局が変更された場合に操作される。ユーザは、視聴していた放送の放送局が変更された後においても、変更前に視聴してい情報を取得したいと考える場合、この出力実行ボタン２３を押す。もちろん、視聴していた情報は不要であると判断した場合に、出力実行ボタン２３（この場合は出力停止ボタン２３となる）を押すようにしてもよい。つまり、出力実行ボタン２３は、制御装置３の起動命令の入力を受け付ける。
【００５９】
本実施形態の出力候補コンテンツ表示命令取得部３４１は、ユーザが入力デバイス２に入力した出力候補コンテンツの出力実行命令を取得する。つまり、出力候補コンテンツ表示命令取得部３４１は制御装置３の起動トリガ又は起動中止トリガを取得する。
【００６０】
本実施形態の出力命令手段３４は、出力候補コンテンツ表示命令取得部３４１が出力候補コンテンツの出力実行命令を受け付けた場合、出力候補検索手段３３により検索された出力候補コンテンツを出力させる出力命令を出力装置４に向けて出力する。
【００６１】
この処理手順を図１０のフローチャートに示した。本実施形態の処理手順は図３に示した第１実施形態の処理手順と共通する。図１０には本実施形態の特徴的な処理部分を示し、図３と共通する処理については説明を省略する。Ｓ２３０の後、本実施形態の出力候補コンテンツ表示命令取得部３４１は、ユーザからの出力候補コンテンツの出力実行命令が入力されたか否かを判断する（Ｓ３１０）。ユーザからの出力実行命令が入力された場合、Ｓ２３１に進み、出力候補コンテンツ又は出力候補コンテンツを出力させるコマンドを示すアイコンメニュの出力命令を生成する。その後の処理は第１実施形態と共通する。
【００６２】
本実施形態によれば、放送局が変更された後に、ユーザが視聴していたテキストコンテンツの情報を取得したいと希望した場合に、簡単な操作で、共通する内容のテキストコンテンツを継続的に取得することができる。つまり、ユーザはテキストコンテンツの選択操作を行う必要がなく、出力実行ボタン２３を操作するだけで、変更後の放送局から希望するテキストコンテンツを継続して取得することができる。
【００６３】
＜第３実施形態＞  
第３実施形態は、第１実施形態と出力候補コンテンツの出力条件が異なり、それ以外の点は共通する。すなわち、本実施形態では、出力候補コンテンツの内容が更新された場合、検索した出力候補コンテンツを出力する。ここでは、異なる点を中心に説明し、重複する説明は省略する。
【００６４】
本実施形態のブロック構成を図１１に示した。本実施形態のラジオ放送用受信装置３００は、出力命令手段３４が出力候補コンテンツの更新を監視する更新監視部３４２を有する以外は、第１実施形態のブロック構成と共通する。
【００６５】
本実施形態の更新監視部３４２は、出力候補検索手段３３により検索された出力候補コンテンツの内容の更新を監視する。更新監視部３４２により出力候補コンテンツの内容が更新されたことが検出された場合、出力命令手段３４は更新された出力候補コンテンツ又は出力候補コンテンツを出力させるコマンドを示すアイコンメニュを出力させる出力命令を出力装置４に向けて送出する。なお、本実施形態の更新監視部３４２と第１実施形態の更新監視部３４０とは、説明の便宜のため異なる符号を付したが、出力候補コンテンツの更新を監視する機能を有する点で共通するため、１の更新監視部（３４０又は３４２）による監視結果を共有情報としてもよい。
【００６６】
この処理手順を図１２に示した。本実施形態の処理手順は図３に示す第１実施形態の処理手順と共通する。図１２には本実施形態の特徴的な処理部分を示し、共通する処理については説明を省略する。Ｓ２３０の後、本実施形態の更新監視部３４２は、検索された出力候補コンテンツの内容の更新を監視する（Ｓ４１０）。出力命令手段３４は、更新監視部３４２により出力候補コンテンツの内容が更新されたことが検出された場合（Ｓ４２０でＹ）、Ｓ２３１に進み、出力候補コンテンツ又は出力候補コンテンツを表示させるコマンドを示すアイコンメニュの出力命令を生成する。その後の処理は第１実施形態と共通する。
【００６７】
また、本実施形態で引用する図３に示したＳ２０６において、新たに入力された選択命令に基づいて、指示された放送局にチャンネルを変更し、選択されたコンテンツに表示を切替えた場合、ユーザが選択したコンテンツについて、図３のＳ２０１以降の処理が行われる。この場合、Ｓ２１２において抽出された選択コンテンツの特定要素は、抽出結果記憶領域３２２に追加して記憶される。出力候補検索手段３３は追加された特定要素を含む記憶されている特定要素に基づいて出力候補コンテンツを検索する（Ｓ２３０）。さらに、更新監視部３４２は、１又は複数の特定要素に基づいて検索された１又は複数の出力候補コンテンツについて、内容の更新を監視する。選択コンテンツが変更され、特定要素が追加された場合には、追加された特定要素に基づいて検索された出力候補コンテンツについても、内容の更新を監視する。
【００６８】
本実施形態によれば、出力候補コンテンツの内容が更新された場合に、自動的に更新後の出力候補コンテンツを取得することができる。つまり、ユーザは再度出力操作を行うことなく、最新の情報を取得することができる。
【００６９】
第１実施形態乃至第３実施形態における受信器１は特許請求の範囲の受信手段に対応し、実施形態の出力装置４は特許請求の範囲の出力手段に対応し、実施形態の選択コンテンツ特定手段３１、特定要素抽出手段３２、出力候補検索手段３３、出力命令手段３４は、特許請求の範囲の選択コンテンツ特定手段、特定要素抽出手段、出力候補検索手段、出力命令手段に対応する。
【００７０】
本実施形態では、ラジオ放送用受信装置１００，２００，３００について説明したが、ラジオ放送用受信方法を使用した場合も、同様に作用し、同様の効果を奏する。
【００７１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００７２】
【図１】第１実施形態のラジオ放送用受信装置のブロック構成図である。
【図２】（Ａ）（Ｂ）は、各放送局が放送する番組のメニュー構成の一例を示す図である。
【図３】第１実施形態のラジオ放送用受信装置の制御手順を示す図である。
【図４】（Ａ）（Ｂ）（Ｃ）は、出力候補コンテンツの出力態様を説明するための図である。
【図５】（Ａ）（Ｂ）（Ｃ）は、放送局の変更に伴う表示態様の変化を説明するための第１の図である。
【図６】Ａ）（Ｂ）（Ｃ）は、放送局の変更に伴う表示態様の変化を説明するための第２の図である。
【図７】（Ａ）（Ｂ）は、出力候補コンテンツが更新された場合の出力態様を説明するための第１の図である。
【図８】（Ａ）（Ｂ）は、出力候補コンテンツが更新された場合の出力態様を説明するための第２の図である。
【図９】第２実施形態のラジオ放送用受信装置のブロック構成図である。
【図１０】第２実施形態のラジオ放送用受信装置の制御手順を示す図である。
【図１１】第３実施形態のラジオ放送用受信装置のブロック構成図である。
【図１２】第３実施形態のラジオ放送用受信装置の制御手順を示す図である。
【符号の説明】
【００７３】
１００，２００，３００…ラジオ放送用受信装置
１…受信器
１１…デコード部
２…入力デバイス
２１…チャンネル選択デバイス
２２…コンテンツ選択デバイス
２３…出力実行ボタン
３…制御装置
３１…選択コンテンツ特定手段
３１１…選択命令取得部
３２…特定要素抽出手段
３２１…特定要素モデル記憶領域
３２２…抽出結果記憶領域
３３…出力候補検索手段
３３１…放送波監視部
３４…出力命令手段
３４０，３４２…更新監視部
３４１…出力候補コンテンツ表示命令取得部
【図１】
2006094326.tif 000003
【図２】
2006094326.tif 000004
【図３】
2006094326.tif 000005
【図４】
2006094326.tif 000006
【図５】
2006094326.tif 000007
【図６】
2006094326.tif 000008
【図７】
2006094326.tif 000009
【図８】
2006094326.tif 000010
【図９】
2006094326.tif 000011
【図１０】
2006094326.tif 000012
【図１１】
2006094326.tif 000013
【図１２】
2006094326.tif 000014